Podtech/llm-jp-corpus-v4-ja_patent huggingface dataset:
(57)【要約】【課題】高さを適宜調節できる目隠し塀を提供する。【解決手段】目隠し塀１０の支柱１１に、その長さ方向に（高さ方向）沿って軌道１２を形成し、この軌道１２に弾性摺動体１３を介して支柱間隔に区分した目隠し塀（以下、「区分目隠し塀１４」という）を摺動可能に嵌めてなり、上記区分目隠し塀１４の両側の枠材１５の端縁角部に断面鈎形の弾性摺動体１３の把持溝１６を形成し、この把持溝１６に上記弾性摺動体１３を挿入してなるものであり、上記軌道１２は支柱１１の中央長さ方向に断面Ｔ形を成し、支柱１１に対する付け根１２ａとＴ形の天部付け根１２ｂの隅に上記弾性摺動体１３が当接してなる。【選択図】図１
2007126827.tif 000002
【特許請求の範囲】
【請求項１】
目隠し塀（１０）の支柱（１１）に、その長さ方向に沿って軌道（１２）を形成し、この軌道（１２）に弾性摺動体（１３）を介して、支柱（１１）の間隔毎に区分された区分目隠し塀（１４）を摺動可能に嵌めてなる目隠し塀。
【請求項２】
上記区分目隠し塀（１４）の両側枠材（１５）の端縁角部に断面鈎形にした弾性摺動体（１３）の把持溝（１６）を形成し、この把持溝（１６）に上記弾性摺動体（１３）を挿入してなる請求項１に記載の目隠し塀。
【請求項３】
上記軌道（１２）は、支柱（１１）の中央長さ方向に断面Ｔ形を成して、支柱（１１）に対する付け根（１２ａ）とＴ形の天部付け根（１２ｂ）の隅に上記弾性摺動体（１３）が当接してなる請求項１または２に記載の目隠し塀。
【発明の詳細な説明】
【技術分野】
【０００１】
この発明は目隠し塀であって、その高さを調節可能にした目隠し塀に関する。
【背景技術】
【０００２】
目隠し塀(ブラインドルーバ）に関する先行技術として特許文献１および２がある。
【０００３】
【特許文献１】特開２００３−２０７２０号公報（要約および選択図面）
【０００４】
【特許文献２】特開平８−２１０５７号公報（要約および選択図面）
【発明の開示】
【発明が解決しようとする課題】
【０００５】
上記特許文献１は、ベランダの手すりにガイドを取付け、このガイドにルーバ枠を嵌めて上下に摺動可能にしたものである。また、特許文献２はベランダの枠に開度を調節可能にしたルーバを取付けたものである。
【０００６】
特許文献１は、ベランダの枠に後付け可能になっているが、ブラインドの高さを調節可能にしておらず、単にルーバ枠をガイド内で上下動できるようにしただけのものである。また、特許文献２は、ルーバの開度を調節できるものであるが高さを調整できるものではない。
【０００７】
この発明は上記状況に鑑み、高さを適宜調節できる目隠し塀を提供することを課題とする。
【課題を解決するための手段】
【０００８】
上記課題を解決するためにこの発明は、目隠し塀１０の支柱１１に、その長さ方向に（高さ方向）沿って軌道１２を形成し、この軌道１２に弾性摺動体１３を介して支柱間隔に区分した目隠し塀（以下、「区分目隠し塀１４」という）を摺動可能に嵌めてなり、上記区分目隠し塀１４の両側枠材１５の端縁角部に断面鈎形の弾性摺動体１３を把持する把持溝１６を形成し、この把持溝１６に上記弾性摺動体１３を挿入してなるものであり、上記軌道１２は支柱１１の中央長さ方向に断面Ｔ形を成し、支柱１１に対する付け根１２ａとＴ形の天部付け根１２ｂの隅に上記弾性摺動体１３が当接してなる。
【発明の効果】
【０００９】
上記の如く構成するこの発明によれば、目隠し塀の高さを適宜変更でき、隣接する家屋・建物の有無、日照時間帯になどに応じて目隠し塀の高さを調節して外部からの覗き見や、直射日光を避けることができる。
【発明を実施するための最良の形態】
【００１０】
次にこの発明の実施形態を、図面を参照しながら説明する。図３は本発明の目隠し塀１０の一部を示す正面図で、通常の目隠し塀１０の支柱１１の間隔毎に区分目隠し塀１４を高く、あるいは低くできるようにしたものである。
【００１１】
上記目隠し塀１０、区部目隠し塀１４の構造は、図に示すように塀の両側枠材１５ａ、下枠材１５ｂ、天枠材１５ｃおよび中間枠材１５ｄからなる枠材１５の間に断面逆Ｙ形の目隠し材１７が嵌められ、各枠材１５と目隠し材１７には断面Ｃ形のネジ受け溝１８が設けられ、このネジ受け溝１８にビスネジ１９が螺合して各枠材１５および目隠し材１７が取付けられるようになっている。
【００１２】
図１は目隠し塀１０の支柱１１に区分目隠し塀１４が嵌められた状態の水平断面である。目隠し塀１０の支柱１１には断面Ｔ形の軌道１２が長手方向（高さ方向）に一体的に形成されている。
【００１３】
一方、区分目隠し塀１４の両側枠１５ａを形成する枠材の断面は、その両角縁が鈎条２０ａになり、端面中央から二個の断面鈎条２０ｂが一体的に形成されて、上記二つの鈎条２０ａと２０ｂが向き合って弾性摺動体１３の把持溝１６を形成している。
【００１４】
上記弾性摺動体１３が軌道１２に接する部分の角部を切り取って、軌道１２の角部に隙間が形成されるようにしているのは、埃の逃げ場をつくるためのものである。
【００１５】
弾性摺動体１３の把持溝１６は鈎条２０ａ，２０ｂを向き合わせて形成しているが、断面Ｃ形にしても良い。なお、区分目隠し塀１４の両端に閂金具２１を設けているが、これに対応する位置に図示しない閂受けを設けるならば、閂金具を操作することにより区分目隠し塀を適宜の高さに固定することができる。
【産業上の利用可能性】
【００１６】
以上説明したようにこの発明によれば一般的な目隠し塀に必要に応じ上げ下げできる区分目隠し塀を設けることができ、外部からの覗き見を防止し、また、太陽の動きに合わせて直射日光を適宜遮断することができる。
【図面の簡単な説明】
【００１７】
【図１】この発明に係る目隠し塀の部分断面図
【図２】目隠し塀の垂直断面図
【図３】目隠し塀の部分正面図
【符号の説明】
【００１８】
１０  目隠し塀
１１  支柱
１２  軌道
１２ａ  支柱に対する付け根
１２ｂ  Ｔ形の天部付け根
１３  弾性摺動体
１４  区分目隠し塀
１５  枠材
１５ａ  両側枠材
１５ｂ  下枠材
１５ｃ  天枠材
１５ｄ  中間枠材
１６  把持溝
１７  目隠し材
１８  ネジ受け溝
１９  ビスネジ
２０  鈎条
２０ａ  鈎条（角）
２０ｂ  鈎条（中間）
２１  閂金具
【図１】
2007126827.tif 000003
【図２】
2007126827.tif 000004
【図３】
2007126827.tif 000005
(57)【要約】【課題】  美しい黄金色にもっとも近く、価格が安価、そして宝飾用・装飾用としても利用できる価値があり、更に錆びない銅合金に１〜５５％の金を含有させた宝飾用・装飾用金合金を提供する。【解決手段】  成分重量比を銅約９０％、アルミニュウム約８％、チタン１〜５％、マンガン１〜５％、ニッケル１〜５％、鉄！〜５％、マグネシウム１〜３％、珪素１〜３％、スズ１〜３％、その他特殊配合金属１〜２％を含有した銅合金の材料、又は既存の市販されている各種合金の材料に金１〜５５％を含有させて宝飾用・装飾用金合金の材料とし、加工性に富み、抗菌性に優れ、磁性がなく、耐蝕性に優れた、価格が安価な金合金であることを特徴とする宝飾用・装飾用金合金。【特許請求の範囲】
【請求項１】
金１〜５５％に成分重量比で銅約９０％、アルミニュウム約８％、チタン１〜５％、マンガン１〜５％、ニッケル１〜５％、鉄１〜５％、マグネシウム１〜３％、珪素１〜３％、スズ１〜３％からなり、その他微量の特殊配合金属の材料からなることを特徴とする金を含有した宝飾用・装飾用金合金。
【請求項２】
金１〜５５％に成分重量比を銅約９０％、アルミニュウム約８％、チタン１〜５％、マンガン１〜５％、ニッケル１〜５％、鉄１〜５％、マグネシウム１〜３％、珪素１〜３％、スズ１〜３％からなり、更に微量の特殊配合金属材料を１〜３％添加した事を特徴とする金を含有した宝飾用・装飾用金合金。
【請求項３】
この金合金は色の変色がなく、水中、大気中でも錆びなく、メッキ塗装などの表面処理が不要な請求項１〜２記載の金を含有した宝飾用・装飾用金合金。
【請求項４】
請求項１〜３記載の金合金に更に特殊コーテイング加工を施したことにより、ほとんど錆びの発生がない黄金色の宝飾用・装飾用金合金。
【請求項５】
既存の市販されている黄金色に近い銅合金、アルミニユム合金、各種合金等の材料に１〜５５％の金を含有させて、安価な、錆びない金合金として使用することもできる事を特徴とする請求項１〜４記載の宝飾用・装飾用金合金。
【発明の詳細な説明】
【技術分野】
【０００１】  本発明は，装飾品の美術・工芸品、仏壇、仏具、印鑑、体に装着される指輪、腕輪、ネックレス、ヘアーピン等、日用品、家具調度品、食器、楽器、事務用品、スポーツ用品、玩具、遊戯具の球又はコイン、アパレル、又鋼鈑、建材、船舶、鋼管、電気製品、工業製品、産業機械用などにおいて好まれ、素材用として使用される板材や線材等の加工材あるいはキャスト材として使用される。金属の中で金ほど美しいものはなく黄金色の輝く金の魅力は高価な美しさの象徴であり鍍金等の表面処理が不要であるため金鍍金等で多く使用されている。しかし埋蔵量が少なく、将来金は掘り尽くされることが予想されるため、錆びない、黄金色に近い各種合金が研究されているのが現状である。この各種合金に、１〜５５％の純金を含有させた装飾用金合金であり更に特殊コーテイングにより錆びない、安価な宝飾用・装飾用金合金に関する。
【背景技術】
【０００２】  従来、金は装飾品用として、金特有の美しい金色が好まれる、又高価なために各種合金の基材の上に金又は金含有の物質による金メッキ等により使用されている。
黄金色に輝く金属は金を想定しますが、無垢の黄金色を想定する金属は金以外には殆ど見られず、一般的に黄金色に輝く金属として、真鍮やアルミニウム青銅を使用しますが、真鍮はメッキ・クリヤー等の表面処理を施さないと使用できず、アルミニウム青銅は材質が硬く、切削性・鍛造性が難しく、１ｍｍ以下の条・帯の圧延は不可能であり、又経年で色調が低下、精密鋳造性が悪い等々から、装飾用金属としては不向きであると判断できる。
しかし近年、アルミニウム青銅、又は銅合金で金色に近い合金も製造されるようになった。
例えば、特開２００１−０２００２５号公報。
特開２００２−６０８６７号公報。
特開２００３−６４４３３号公報等がある。
【発明の開示】
【発明が解決しようとする課題】
【０００３】  それには次のような問題点があった。
（イ）金は近い将来埋蔵量が少なくなる。
（ロ）金は高価であり、金に近い金属の開発がいろいろ挑戦されたが、なかなか金と同等、又は類似の合金はいまだに開発されていない。
（ハ）金は装飾品として貴重であり、錆びないため各種合金となる基材の表面に金メッキとして被覆されるが、耐傷性や耐磨耗性で長期間は維持できない欠点があるが、多く使用されている。
（ニ）金の代用品として、安く、錆びない黄金色の金属が求められているがない。
（ホ）金は高価であるため、金メッキが支流であるが、メッキの厚みが薄いため磨耗しやすく、又剥げ易い。
（ヘ）無垢の金以外はメッキ、塗装等の処理をしなければ使用できない。
本発明は、以上の問題点を解決するためのものである。
【問題を解決するための手段】
【０００４】  本発明に係わる宝飾用・装飾用金合金は、上記のような従来技術の問題点を解決するために発明され、従来の銅、アルミニュウム、チタンその他の金属で黄金色に極めて近く、安価な銅合金を設け、その銅合金に重量比で１〜５５％の金を含有させて金合金を設け、又は黄金色に近い色の既存の市販されている各種合金に重量比で１〜５５％の金を含有させて金合金を設ける。そして、金合金に特殊コーテイングを施すことで、安価で錆びないことを特徴とする宝飾用・装飾用金合金である。
【発明の効果】
【０００５】  銅を重量比約９０％、アルミニウム約８％、チタン、マンガン、ニッケル、鉄を１〜５％、マグネシュウム、珪素、スズ等１〜３％、特殊配合金属数％を含有した銅合金に、金１〜５５％を含有して金合金を設ける、加工性に富み、抗菌性に優れ、耐蝕性に優れ、磁性が無い為に多用途に展開でき、研磨後は色の変色がなく、水中、大気中でも錆びないため、メッキ、塗装などの表面処理が不要である。又、特殊コーテイング等により錆びは完全に防止できる効果が期待できる。
【発明を実施するための最良の形態】
【０００６】  以下、本発明の実施の形態を説明する。
（イ）銅約９０％、アルミニウム約８％、チタン、マンガン、ニッケル、鉄、マグネシウム、珪素，スズ、その他の特殊配合金属を設ける。
（ロ）上記黄銅２Ａ種に相当する合金に金を重量比で１〜５５％を含有させる。
（ハ）この金合金の特性は、加工性に富み、抗菌性に優れ、磁性がないため多用途に展開でき、耐食性に優れています。
（ニ）研磨後は色の変色がなく、水中、大気中で錆びず、メッキ・塗装等の表面処理は必要なく、無垢で黄金色に輝き、表面の研磨のみで良く、環境に優しい完全リサイクル無限資源です。
（ホ）インゴットの硬さはＨＶ約４０−４５・溶解温度１，２００度〜１２５０度・密度７．８ｇ／ｃｍ３  貴金属に比べ非常に軽い）・伝導率は熱伝導率、電気伝導率ともに銅の９５％程度・圧延厚さ０．２ｍｍ以上。
（ヘ）金属の特性比較
2007126741.tif 000002
本発明は、以上の構成よりなっている。
この材料を使用するときは、素材の加工は、ロストワックス鋳造が最適である。
(57)【要約】【課題】着用補助マークを設けた肌着を提供する。【解決手段】肌着開口部の右側表面に着用補助マークとして、飾りボタン、ロゴマーク、名札、商品機能特徴のアイコンなどで形成された突起物を設ける。肌着を着用する時、この着用補助マークを目視または指の蝕感で探し、右手の人差し指で押さえた状態で着用することにより前後、裏表を間違えず着用できることを特徴とする着用補助マーク付肌着である。【選択図】図１
2007126800.tif 000002
【特許請求の範囲】
【請求項１】
肌着開口部の右側表面に、飾りボタン、ロゴマーク、名札、商品機能特徴のアイコンなどで形成された突起状の着用補助マークを設け、肌着を着用する時、この着用補助マークを目視または指の蝕感で探し、着用補助マークを右手の人差し指で押さえた位置で着用することにより前後、裏表を間違えず着用できることを特徴とする着用補助マーク付肌着。
【発明の詳細な説明】
【技術分野】
【０００１】  本発明は、肌着開口部の右側表面に目視または指の蝕感で確認できる着用補助マークを設けた着用補助マーク付肌着に関するものである。
【背景技術】
【０００２】  従来、肌着を身に付ける時、その裏表、前後の各々を目視で着用位置を探していた。
【発明の開示】
【発明が解決しようとする課題】
【０００３】  そのために、次のような問題点があった。
肌着を身に付ける時、肌着の裏表は縫製形態、前後は形状を目視で認識しているために暗い場所での着用や視力が低下した者が着用するときには困難であった。
本発明は、以上の問題点を解決するためになされたものである。
【課題を解決するための手段】
【０００４】  肌着開口部の右側表面に、飾りボタン、ロゴマーク、名札、商品機能特徴のアイコンなどで形成された突起状の着用補助マークを設け、肌着を着用する時、この着用補助マークを目視または指の蝕感で探し、着用補助マークを右手の人差し指で押さえた位置で着用することにより前後、裏表を間違えず着用できることを特徴とする着用補助マーク付肌着である。
ただし、この取付け位置は、開口部の右側表面に固定した訳ではなく、右利き、左利き用などの用途に応じ変更が可能であるが規格化することが望ましい。
【発明の効果】
【０００５】  本発明の着用補助マークを右手の人差し指で押さえた位置で肌着を着用する事により、肌着の裏表、前後を簡単に判別することを可能とした。
したがって暗い所でも、視力の低下した者でも肌着の裏表、前後を間違って身に付ける事を防止出来る。
【発明を実施するための最良の形態】
【０００６】  以下、実施の形態について本発明に係る肌着の一種である半袖シャツで説明する。
（イ）半袖シャツ（１）を着用する時に両手で持つ開口部（３）の右側表面に目視または指で接触して探すことが容易な突起物で形成する着用補助マーク（２）を設ける。
（ロ）この突起物は飾りボタン、ロゴマーク、名札、商品機能特徴のアイコンなどで形成される。アイコンとは図像であり、アイコンの特徴は、目で見ただけでどのような処理をさせるものかが感覚的に分かるようデザインされていることである。
本発明は、以上の構成よりなっている。
本発明を使用するときは肌着（１）の開口部（３）を持つ時、右手の親指を内側とし、右手の人差し指を表側とし、本発明の着用補助マーク（２）を右手の人差し指で感じる位置を目視または指の蝕感で探し、着用補助マーク（２）を右手の人差し指で押さえた位置で着用する。
【図面の簡単な説明】
【０００７】
【図１】本発明に係る肌着の一種である半袖シャツの正面図である
【図２】本発明の飾りボタンによる着用補助マークの拡大図
【図３】本発明のロゴマークによる着用補助マークの拡大図
【図４】本発明の名札による着用補助マークの拡大図
【符号の説明】
【０００８】    １  半袖シャツ
２  着用補助マーク
３  開口部
４  飾りボタン
５  ロゴマーク
６  名札
【図１】
2007126800.tif 000003
【図２】
2007126800.tif 000004
【図３】
2007126800.tif 000005
【図４】
2007126800.tif 000006
(57)【要約】【課題】未視聴時の壁掛けＴＶの画面はさしずめ四角い巨大ブラックホールのようであり、多くの場合部屋の雰囲気を損なうことが多い。  そこでこの発明は、未視聴時に壁掛けＴＶの存在を目立たなくすることを課題とする。【解決手段】第一発明は、壁掛けＴＶを設置する壁面と同じ模様を表示することにより、未視聴時に壁掛けＴＶの存在を目立たなくする電子壁紙。これには人感知センサーを組み込み、原則として室内に人がいない場合は、電子壁紙は作動しない。又、第二発明は、視聴時には壁と同じ模様の壁掛けＴＶカバーを、上又は下に、平行移動又は巻き込む機構を第一発明に追加し、未視聴時には完全にＴＶカバーと壁が面一化する機構である。【選択図】図１
2007201580.tif 000002
【特許請求の範囲】
【請求項１】
壁掛けＴＶを設置する壁面と同じ模様を表示することにより、未視聴時に壁掛けＴＶの存在を目立たなくする装置。電子壁紙。人感知センサーを組み込み、原則として室内に人がいない場合は、この電子壁紙は作動しない
【請求項２】
請求項１に壁と同じ模様の、可動式壁掛けＴＶカバーを設置したもの。
【請求項３】
請求項１，２の壁掛けＴＶを設置する際に使用する取り付け金具を、建物の構造部材と共用化するもの。
【請求項４】
請求項１の機構を使用しスクリーンセーバーとする装置。
【請求項５】
壁照明として壁掛けＴＶを利用する機構。
【発明の詳細な説明】
【技術分野】
【０００１】
この発明は、未視聴時の壁掛けＴＶ画面に、壁掛けＴＶを設置する壁面と同じ模様を電子的に表示し、又更に、壁と同じ模様の壁掛けＴＶカバーを使用することにより、未視聴時に壁掛けＴＶの存在を全く目立たなくする装置に関する。壁掛けＴＶとは、奥行きが最大１５ｃｍ位で、壁面に設置することが可能な、プラズマTV,液晶TV、ＳＥＤ等々の総称である。
【背景技術】
【０００２】
目に優しい調光技術、スクリーンセーバー、デジタルカメラ、防犯センサー、各種のカバー可動機構。
【発明の開示】
【発明が解決しようとする課題】
【０００３】
本発明の数々は、未視聴時の壁掛けＴＶの存在を目立たなくすることを課題とする。壁掛けＴＶは大画面が多いため未視聴時にはさしずめ四角い巨大ブラックホールのようであり、多くの場合部屋の雰囲気を損なうことが多い。現在最新の６５型の画面寸法は、１４３ｃｍ  ｘ  ８０ｃｍという巨大さである。これらは欧米人が特に嫌う傾向があるようだ。
【課題を解決するための手段】
【０００４】
以上の課題を解決するために、第一発明は、カメラを内蔵した壁掛けＴＶ装置である。  又、第二発明は、視聴時には壁と同じ模様の壁掛けＴＶカバーを、上又は下に、平行移動又は巻き込む機構を追加し、未視聴時には完全に壁と面一化する機構である。第３発明では、取り付け金具を、建物の構造部材と共用化する。第五発明では、省電力の特性を生かし、発熱による蓄熱が装置に悪影響を与えない短時間、壁照明の光源として壁掛けＴＶを利用することにより、部屋の雰囲気を落ち着いたものとし壁掛けＴＶの存在を忘れさせる。
【発明の効果】
【０００５】
第一、第二、第三発明によれば、未視聴時に壁掛けＴＶの存在を目立たなくすることが出来る。第五発明は、日照時間が短いと陥り易い「季節性感情障害」（ＳＡＤ）の対策として使える。
【発明を実施するための最良の形態】
【０００６】
この第一発明の一実施形態を、図１に示す。枠部分には、目立たぬ造りのカメラと人感知センサーを組み込む。  反転させた壁掛けＴＶのカメラで設置予定場所の背面の壁面を、約１ｍ位離れた場所で撮影する。その内容をデータ処理しTV画面に出来るだけ少ない消費電力で表示する。いわばカメレオンの保護色のような機構である。業者所有の専用カメラで撮影した情報をメモリースロットから入力することも可能である。カメラでは絶えず設置壁面の照度の測定を行い、人感知センサーからも補足情報を得て大きな照度の変化があれば、TV画面を微調整する。分離型子カメラでサンプル撮影したTV画面枠周囲の設置壁面の情報を使用しての微調整も可能。枠部分に組み込んだ人感知センサーからの情報で、原則として室内に人がいない場合は、電子壁紙は作動しないようにし、電気を節約する。これらの動作を可能とする制御装置とソフトを壁掛けＴＶに組み込む。第二発明の代表的実施形態を、図２、図３に示す。図２では視聴時に、壁と同じ模様の壁掛けＴＶカバーを、上又は下に、平行移動させる様子を示している。図３では視聴時に、壁と同じ模様の壁掛けＴＶカバーを、上面または、背面の空間に巻き込んだ様子を示している。第二発明は電子壁紙だけでは秘匿が満足できない使用者向けの装置であり、別売オプションのようなものだが、可動式カバーは、圧迫感の多い大画面程、構造が重く、複雑になる。第３発明では、取り付け金具を、建物の構造部材と共用化する。
【０００７】
「実施形態の効果」
この実施形態によれば、多くの部屋の雰囲気を良くすることが可能である。第一発明は既存の電子部品を活用し、専用ソフトを開発するだけなので、大量生産でコストを下げることが可能である。この方式だと、可動式カバーに比べ、直に視聴を始められる。この装置を活用すれば鏡のように身だしなみの確認に使用出来る。第３発明では、取り付け金具を、建物の構造部材と共用化することにより、９０ｋｇ近い大画面壁掛けＴＶの設置を安全簡単低コストで行える。設置位置の変更も容易となり、壁面とTV画面を面一とし易くなり、結果として、未視聴時の壁掛けＴＶの存在を目立たなくする
【０００８】
「他の実施形態」
枠の部分に簡単に設置場所背面の壁紙を貼ることが可能な構造とするもの。画面の外周部に額縁の縁を表示し、電子額縁として使用する。可動式カバーを使用した際、視聴時の壁掛けＴＶの画面位置を壁面と同じ面に微調整する機構。第一発明は、大きな液晶画面を持つパソコンでも応用出来る。
【図面の簡単な説明】
【０００９】
【図１】この発明の一実施形態を示す斜視図である。
【図２】この発明の一実施形態を示す斜視図である。
【図３】発明の正面図、壁掛けＴＶカバーが上下に平行移動する
【図４】発明の側面図、壁掛けＴＶカバーが上部、背面に巻き込まれる
【符号の説明】
【００１０】
「図１」における符号
１  カメラレンズ                        ２  人感知センサー
３  壁掛けＴＶ枠                        ４  メモリースロット
「図２」における符号
１  背面の壁と同じ模様の壁掛けＴＶ画面  ２  カメラレンズ  
３  人感知センサー                          
「図３」における符号
１  上に平行移動する壁掛けＴＶカバー    ２  下に平行移動するＴＶカバー      
３  ＴＶ画面
「図４」における符号
１  上面に巻き込んだ壁掛けＴＶカバー    ２  背面に巻き込んだ壁掛ＴＶカバー
３  壁掛けＴＶ(後方位置)                ４  壁面
【図１】
2007201580.tif 000003
【図２】
2007201580.tif 000004
【図３】
2007201580.tif 000005
【図４】
2007201580.tif 000006
(57)【要約】【課題】原稿テーブルやコンタクトガラスの任意の幅方向（主走査方向）位置（原稿読み取り可能範囲内）においた原稿を画像欠けなく読み取ることが可能な画像形成装置を提供する。【解決手段】原稿の主走査開始端部と主走査終了端部を検知する原稿検知手段１５と、原稿検知手段１５の検知出力に基づいてスキャナ１２に原稿を主走査させる制御手段１１とを備えた画像形成装置。【選択図】図１
2007201551.tif 000002
【特許請求の範囲】
【請求項１】
原稿を読み取る読み取り手段と、前記原稿の主走査開始端部と主走査終了端部を検知する原稿検知手段と、前記原稿検知手段の検知出力に基づいて前記読み取り手段に原稿を主走査させる制御手段と、を備えたことを特徴とする画像形成装置。
【請求項２】
請求項１記載の画像形成装置において、前記原稿検知手段の検知結果から把握した原稿サイズに基づいて用紙を選択する用紙選択手段を備えたことを特徴とする画像形成装置。
【発明の詳細な説明】
【技術分野】
【０００１】
本発明は画像形成装置に関し、画像欠けのない原稿読み取りが可能な画像形成装置に関する。
【背景技術】
【０００２】
原稿読み取り時の原稿セット位置に付いて説明する。一般的な原稿読み取り方式としては、従来、図４（１）に示すように、原稿テーブル１（またはコンタクトガラス）の左端（または右端）に原稿２を合わせて読み取らせる端面基準による読み取り方式と、図４（２）に示すように、原稿台１の中心に原稿２を合わせて読み取らせるセンター基準による読み取り方式があった。
なお、先行文献としては特許文献１などがある。
【特許文献１】特開２０００−１０３５３６公報
【発明の開示】
【発明が解決しようとする課題】
【０００３】
しかしながら、上記２つの読み取り方式では、原稿を基準点（基準位置）に合わせて読み取らせる必要が有るため、原稿が基準点からずれると、画像欠けが発生したり、原稿をセットするのに必要以上に時間を要することから操作性が悪かった。例えば、図４（３）に示すように原稿２を任意の位置（実線の位置、または破線の位置）においた場合に原稿の読み取り欠けが発生する。
【０００４】
本発明は、原稿テーブルやコンタクトガラスの任意の幅方向（主走査方向）位置（原稿読み取り可能範囲内）においた原稿を画像欠けなく読み取ることが可能な画像形成装置を提供することを目的とする。
【課題を解決するための手段】
【０００５】
上記目的を達成するために、請求項１記載の発明は、原稿を読み取る読み取り手段と、前記原稿の主走査開始端部と主走査終了端部を検知する原稿検知手段と、前記原稿検知手段の検知出力に基づいて前記読み取り手段に原稿を主走査させる制御手段と、を備えた画像形成装置を特徴とする。
請求項２記載の発明は、請求項１記載の画像形成装置において、前記原稿検知手段の検知結果から把握した原稿サイズに基づいて用紙を選択する用紙選択手段を備えたことを特徴とする。
【発明の効果】
【０００６】
本発明の画像形成装置は、原稿の主走査開始端部と主走査終了端部を検知する原稿検知手段と、この原稿検知手段の検知出力に基づいて読み取り手段に原稿を主走査させる制御手段とを備えたので、原稿テーブルやコンタクトガラスの任意の幅方向（主走査方向）位置（原稿読み取り可能範囲内）においた原稿を画像欠けなく読み取ることが可能となる。
【発明を実施するための最良の形態】
【０００７】
以下、本発明の実施形態を図面に従って説明する。
図１は本発明の第１の実施形態に係る画像形成装置の要部機能ブロック図である。制御手段１１には原稿画像を読み取るスキャナ（読み取り手段）１２と、用紙選択部１３と、操作部１４とが接続され、制御されるようになっている。またスキャナ１２にはセンサ１５（原稿検知手段）が搭載されている。
【０００８】
図３で後述するコンタクトガラス２２（または図４に示す原稿テーブル１）の幅方向（主走査方向）における任意の位置に原稿２（図４）が載置された後、操作部１４から原稿読み取り開始を入力すると、スキャナ１２が主走査方向に移動を開始する。
そしてスキャナ１２が原稿２の先端部（主走査開始端部）まで来るとセンサ１５が原稿を検知する。センサ１５からの原稿検知信号に基づき、制御手段１１はスキャナ１２に原稿の主走査を開始させる。そしてスキャナ１２が原稿２の後端部（主走査終了端部）まで来るとセンサ１５は原稿を検知しなくなる。センサ１５からの原稿非検知信号に基づき、制御手段１１はスキャナ１２に原稿の主走査を終了させる。
【０００９】
このように原稿２の幅方向両端部を正確に検知して主走査することができるので、図４（３）に示すように原稿２を任意の位置（実線の位置、または破線の位置）においても、原稿の読み取り欠けがなくなる。また制御手段１１は原稿２の幅を検知することができるので、用紙選択部１３にその幅に合致したロール紙を選択させることができる。さらに幅が判ればその幅の定形紙を特定することができるので、用紙選択部１３にその原稿２に合致した定形紙を選択させることができる。
【００１０】
図２は本発明の第２の実施形態に係る画像形成装置の要部機能ブロック図、図３は第２の実施形態に係る画像形成装置におけるコンタクトガラスの上面図である。
制御手段１１にスキャナ１２と用紙選択部１３と操作部１４とセンサ群２１が接続される。センサ群２１は図３に示すように、コンタトクガラス２２の内側にあって主走査方向に多数配置されたセンサ２１−１、２１−２〜２１−ｎから構成されている。
制御手段１１は各センサの位置情報を有している。従ってコンタクトガラス２２の上に原稿が載置されると、その主走査方向両端部に位置するセンサまでがその外側のセンサと出力状態が反転する。このことから制御手段１１は上記と同様な制御指令をスキャナ１２と用紙選択部１３に出力し、上記と同様な効果を得ることができる。
【図面の簡単な説明】
【００１１】
【図１】本発明の第１の実施形態に係る画像形成装置の要部機能ブロック図である。
【図２】本発明の第２の実施形態に係る画像形成装置の要部機能ブロック図である。
【図３】第２の実施形態に係る画像形成装置におけるコンタクトガラスの上面図である。
【図４】原稿テーブルに載置される原稿の位置を示す図である。
【符号の説明】
【００１２】
１１  制御手段、１２  スキャナ、１３  用紙選択部（用紙選択手段）、１４  操作部、１５  センサ（原稿検知手段）
【図１】
2007201551.tif 000003
【図２】
2007201551.tif 000004
【図３】
2007201551.tif 000005
【図４】
2007201551.tif 000006
(57)【要約】【課題】  動画像撮影装置の符号化効率を向上する。【解決手段】  被写体を撮像し画像信号を出力する撮像素子と、該撮像素子から出力される画像信号の解像度を落とすフィルタリング手段と、該撮像素子から出力される画像信号を用いて動き量を求め、該動き量を用いて、該フィルタリング手段から出力される解像度を落とした画像信号を、動き補償を用いたフレーム間予測符号化により圧縮する符号化手段と、を備えることを特徴とする。【選択図】  図１
2007201841.tif 000002
【特許請求の範囲】
【請求項１】
被写体を撮像し画像信号を出力する撮像素子と、
該撮像素子から出力される画像信号の解像度を落とすフィルタリング手段と、
該撮像素子から出力される画像信号を用いて動き量を求め、該動き量を用いて、該フィルタリング手段から出力される解像度を落とした画像信号を、動き補償を用いたフレーム間予測符号化により圧縮する符号化手段と、
を備えることを特徴とする動画像撮影装置。
【請求項２】
露光時間の短い動画像データを生成する撮像素子と、動きの大きい画像が滑らかに見えるように前記動画像データに対して解像度を落とす処理を施すフィルタリング部と、動き補償を用いたフレーム間予測符号化により動画像データを圧縮する符号化部を備えた動画像撮影装置であって、前記符号化部は、フィルタリング部を通る前の動画像データを用いて動き補償に用いる動画像の動き量を求め、フィルタリング部を通った後の動画像データに対して前記動き量を用いた動き補償を行って符号化することを特徴とする動画像撮影装置。
【発明の詳細な説明】
【技術分野】
【０００１】
本発明は、動画像を撮像して、フレーム間動き補償符号化により動画像データを圧縮する動画像撮影装置に関する。
【背景技術】
【０００２】
本技術分野の背景技術については、例えば特開平８−１８９７７号公報（特許文献１）がある。該公報には、目的として「発生符号量が本来大きくなる動きや変形の大きい画像、シーンチェンジなどに対し、主観的な画質をあまり落とすこと無く発生符号量を平滑化して主観的画質と符号化効率を向上させた動画像符号化装置を提供する。」と記載され、構成として「入力端子１０への入力動画像信号に対して、動き補償予測が当たらない度合いが大きい領域ほど解像度を低下させる処理を行う前処理部１１を動き補償予測符号化部１１の前段に配置する。この前処理部１１は、動き補償予測が当たらない度合いを評価する動き補償予測評価部１３と、この評価部１３によって制御されるフィルタ部１４からなり、現入力動画像信号を過去の動画像信号を用いて動き補償予測して得られた予測画像信号と現入力動画像信号を重み付け加算することにより、入力動画像信号の解像度を低下させる処理を行う。」と記載されている。
【０００３】
【特許文献１】特開平８−１８９７７号公報
【発明の開示】
【発明が解決しようとする課題】
【０００４】
放送や蓄積メディアでは、ＭＰＥＧ−２などのフレーム間動き補償を用いた符号化方式が広く用いられている。動画像を撮影するムービーカメラにおいても、符号化を行ってネットワークに配信するネットワークカメラや、符号化を行ってＤＶＤなどの蓄積メディアに記録するカメラに応用されている。
【０００５】
ネットワーク配信の際に占有する伝送路容量や、蓄積メディアに記録する際の記録容量、記録時間を考慮すると、できるだけ符号化効率を上げ、画質を落とさずに符号量を圧縮することが望ましい。フレーム間動き補償を用いた符号化方式の符号化効率向上のためには、動き量検出の精度を上げることが有効である。本発明の目的は、符号化効率の高い動画像撮影装置を提供することである。
【課題を解決するための手段】
【０００６】
上記目的は特許請求の範囲に記載された発明により達成される。
【発明の効果】
【０００７】
本発明によれば、符号化効率が向上する。
【発明を実施するための最良の形態】
【０００８】
以下、本発明の実施の形態を図面を用いて説明する。
【実施例１】
【０００９】
図１は、本発明による動画像撮影装置のブロック図である。本装置は、撮像素子１、フィルタ部２、動き検出部３、動き補償部４、直交変換部５、量子化部６および可変長符号化部７から構成される。撮像素子１は、図示しない光学系により結像された動画像を電気信号に変換する。動画像は、フレームまたはフィールドと呼ばれる静止画像の連続した電気信号に変換される。１枚１枚の静止画像に対する撮像素子１の露光時間は、長いほど感度が向上し、短いほど解像度が向上する。撮像素子１自身の感度に関する性能に比べて十分に明るい環境で撮影される場合には、なるべく露光時間を短くして、解像度を向上することが望ましい。また、撮像に伴う折り返し歪やカラー撮像の場合の偽色などを低減する信号処理を施す場合にも、解像度の高い画像を用いた方が、効果が出易い。このような理由から、本装置では、図示しない露光制御系により、なるべく解像度の高い画像が得られるように撮像素子１の露光時間を制御する。一方で、露光時間が短すぎると、連続した動画像として見た場合に、パラパラとした感じで動きが不自然に見える弊害が出てしまう。フィルタ部２は、これを解消するものであり、撮像素子１から来る高解像度の動画像信号にフィルタをかけてぼかすことにより、パラパラ感を軽減し、自然な動画像になるようにする。動き補償部４は、フィルタがかかった動画像信号に対し、効率的な符号化のための動き補償を行う。具体的には、符号化するフレームと異なるフレームとの間の動き量を用いて異なるフレームから符号化するフレームを予測し、予測誤差のみを後段の圧縮回路へ渡す処理であり、正確な動き量を用いることにより、予測誤差が小さくなり、圧縮率を向上することができる。動き補償に用いる動き量は、後述する動き検出部３により求める。直交変換部５は、動き補償された予測誤差に対してＤＣＴなどの２次元直交変換を行う。量子化部６は、直交変換されたデータに対して符号量制御のための量子化処理を行う。具体的には、符号量が目標より多い場合には、量子化を粗くすることによってデータの値を小さくし、符号量が目標より少ない場合には、量子化を細かくすることによってデータの値を大きくする。可変長符号化部７は、量子化後のデータを可変長符号に変換する。より小さいデータにより少ない符号を割り当てることにより、符号量を圧縮する。
【００１０】
動き検出部３は、動き補償部４で用いる動き量を検出する。この際、撮像素子１から出力される高解像度の動画像信号を用いる。これにより、フレーム間の動き量を正確に求めることができ、動き補償部４で生成する予測誤差を小さくすることができるので、量子化を粗くしないでも可変長符号化後の符号量を少なくすることができる。
【００１１】
以上述べたように、本実施例によれば、動き検出の精度が向上するので、符号化効率を上げ、画質を落とさずに符号量を圧縮することができる。
【産業上の利用可能性】
【００１２】
動画像撮影装置の符号化効率を向上できる。
【図面の簡単な説明】
【００１３】
【図１】本発明による動画像撮影装置のブロック図。
【符号の説明】
【００１４】
１…撮像素子、
２…フィルタ部、
３…動き検出部、
４…動き補償部、
５…直交変換部、
６…量子化部、
７…可変長符号化部。
【図１】
2007201841.tif 000003
(57)【要約】【課題】未来の予言が当たる確率がわかりリスクを回避する。【解決手段】ベイズ統計学の過去に起こった事が未来にも起こるという推論を事前分布と事後分布の公式に変数を入力するだけで未来の予言が当たる確率の出るソフトを作る。【選択図】なし【特許請求の範囲】
【請求項１】
ベイズ統計学の過去に起こった事が未来にも起こるという推論を事前分布と事後分布の公式に変数を入力するだけで未来の予言が当たる確率の出るソフト。
【発明の詳細な説明】
【技術分野】
【０００１】  本発明は、ベイズ統計学公式による予言が起こる確率ソフトに関する。
【背景技術】
【０００２】  従来、予言が起こる確率ソフトはなかった。
【発明の開示】
【発明が解決しようとする課題】
【０００３】  従来、予言が起こる確率ソフトはなかったのでコンピューターよって実現させる。
【課題を解決するための手段】
【０００４】  ベイズ統計学の過去に起こった事が未来にも起こるという推論を事前分布と事後分布の公式に変数を入力するだけで未来の予言が当たる確率の出るソフトを作る。
【発明の効果】
【０００５】  未来の予言が当たる確率がわかりリスクを回避できる。
【発明を実施するための最良の形態】
【０００６】    以下、本発明の実施例について時系列的論理的に文章で説明する。ベイズ統計学の過去に起こった事が未来にも起こるという推論を事前分布と事後分布の公式に変数を入力するだけで未来の予言が当たる確率の出るソフトを作る。
【実施例】
【０００７】    上記の如く実施される。
【産業上の利用可能性】
【０００８】    未来の予言が当たる確率がわかりリスクを回避できるので産業上の利用可能性は高いと解される。
(57)【要約】【課題】現在家庭で一般的に使用されているガス・コンロに簡単に装置でき、ガス燃焼中立ち消えや消し忘れ、コンロ使用中に何等かの理由で長い時間コンロから離れてたとき、ガス漏れや火災防止のため警報を発する装置の開発。【解決手段】ガスが燃焼したとき、炎から発生する赤外線を光センサーで、または炎から発生する熱を温度センサーで検出し、時計をスタートさせ、設定した時間が経過すると、音と光で警報を発します。連続的にガス燃焼炎を使用するときは、警報を発する都度リセット・スイッチを押して時計を再スタトします、時計が進行中に燃焼炎が消えたときも警報を発します。赤外線検出光センサーまたは温度センサーと時計を組み合わせて、一定時間間隔と炎の立ち消えを、音と光で警報を発し知らせる、ガス燃焼炎の監視警報装置です。【選択図】図１
2007200262.tif 000002
【特許請求の範囲】
【請求項１】
ガス燃焼炎使用中、任意設定時間になると、音と光で時間経過を知らせる装置で、ガスの燃焼炎に含まれている、赤外線を光センサーで検出し、検出と同時に時計をスタートさせ、予め設定した任意設定時間が経過すると音と光で警報を発し注意を促します、リセット・スイッチを押すと、光が消え音が止まり、時計が再スタートします、時計は、ガスが燃焼中のみ、再スタートできます。
ガスを点火燃焼させると、ガス燃焼炎に含まれている赤外線を光センサーで検出し、時計を進め、時間経過後と、時計進行中燃焼炎が消えると、音と光で警報を発し注意を促す装置で、赤外線光センサー検出、ガス燃焼炎監視警報器。
【請求項２】
ガス燃焼炎を熱として、温度センサーで検出し、時間経過後と、時計進行中燃焼炎が消えると、音と光で警報を発し注意を促す装置で、熱温度センサー検出、請求項１記載のガス燃焼炎監視警報器。
【発明の詳細な説明】
【技術分野】
【０００１】  本発明は、一般家庭で使用しているガス・コンロのガス燃焼炎消し忘れや、ガス炎の立ち消えによる事故を未然に防ぐ事を目的に、開発したガス燃焼炎監視警報器に関する。
【背景技術】
【０００２】  従来一般家庭で使用されているガス・コンロは、ガス燃焼炎を監視する装置が付いていないので、ガス燃焼炎の消し忘れや使用中の燃焼炎立ち消えによる火災やガス中毒の事故が発生しています。
【発明の開示】
【発明が解決しょうとする課題】
【０００３】  従来使用しているガス・コンロに簡単に装置でき、ガスの燃焼炎をセンサーで監視し、任意設定時間が経過したとき、音と光で警報を発しガスが連続燃焼している事の注意と、燃焼中万が一燃焼炎の立ち消えが発生したとき、警報を発して知らせる事を目的とするものです。
【課題を解決するための手段】
【０００４】  本発明は上記目的を達成するために、ガスを燃焼させると同時に燃焼炎に含まれている赤外線または熱をセンサーで検出し、時計をスタートさせます。
任意設定された時間が経過すると、音と光で警報を発し、更に連続してガスの燃焼を使用し続けるときは、リセット・スイッチを押し時計を再スタートします。ガスが燃焼し時計が進行しているとき、何等かの理由でガス燃焼炎が消えたり、ガスを燃焼使用中コンロから離れて設定時間が経過すると、警報を発しリセット・スイッチを押すまで音と光が警報を発し続けます。
【発明の効果】
【０００５】  本発明品をガス・コンロの一端に装置し使用すると、任意設定時間進行中にガスの燃焼炎が消えたり、長時間コンロから離れていると、警報を発し注意を促し、ガス漏れによるガス中毒事故や火災事故を未然に防いでくれます。
【産業上の利用可能性】
【０００６】  市販されているガス・コンロは、安全装置として価格の高い機種は組み込まれていますが、一般的に使用されているガス・コンロには安全装置が組み込まれていません。本発明ガス燃焼炎監視警報器は、小型にガス・コンロの一端に装置できるように造られているので、現在使用されている一般家庭のガス・コンロに簡単に付けられ使用でき、安全器具として多大な効果を発揮できます。
【図面の簡単な説明】
【０００７】
【図１】  本発明の実施例  外観傾斜図
【符号の説明】
【０００８】  １  本体
２  燃焼炎  光または熱検出センサー
３  警報  点滅光発光器
４  警報  間欠音発生器
５  リセット・スイッチ
【図１】
2007200262.tif 000003
(57)【要約】      （修正有）【課題】日常生活上、誰しもが物品の置き場所を忘れて探し廻ることがある。物品の置き場所を忘れた時に探し廻る不都合をなくす。【解決手段】探知機に関するものであり、どこに置いたか忘れた物品を探してくれるものである。探知機により人６は探したい物４、５を探す。探知したい物４、５にはチップ状の発信機が取り付けてある。複数の物品に対し番号毎に物品名が登録されている。【効果】物品の置き忘れた場所を探し廻ることなく探知機にて直ぐに探し出す事ができる。【選択図】図３
2007200266.tif 000002
【特許請求の範囲】
【請求項１】
物品の置き場所を忘れた時に、場所を教えくれる事を特徴とする探知機。
【請求項２】
物品にチップ状の発信器を張って置き、必要な時に探し出す事を特徴とする探知機。
（物品の登録数は設定能力数可能で、自分で探知機に登録の様式）
（設定能力数・・・・・家庭用は５０程度を想定し、業務用はそれ以上を作成する）
（従って能力数に依り、複数の機種を揃える事が可能）
【発明の詳細な説明】
【技術分野】
【０００１】    本発明は、探知機に関する物であり、どこに置いたか忘れた物品を探してくれるものである。
【背景技術】
【０００２】    従来から、単独（１対１）の探知機は利用されている。この例として、旅行鞄の盗難防止のセンサー等が有ります。
【特許文献１】    文献に関しては知りませんが，インターネットでは検索しました。
【非特許文献１】    文献に関しては知りませんが，インターネットでは検索しました。
【発明の開示】
【発明が解決しようとする課題】
【０００３】    しかし、従来の単独（１対１）では複数の探知が出来ないと云う不都合を解決する事を課題とする。
【課題を解決しようとする手段】
【０００４】    この課題を解決する為の請求項１の発明は、日常生活上で物品の置き場所を忘れてしまい困った時に探し出して解決できる。
【０００５】    又、請求項２の発明は、置き忘れしそうな物品にチップ状の発信機を張る事により忘れた時に、探し出せるので探し廻る必要がない。
【０００６】    本発明により、物品の置を場所を忘れた為に、探し廻ることなく探知機にて直ぐに探し出す事が出来る。
［発明を実施する為の最良の形態］
【０００７】    図１は、探したい物品のシール状の発信機の取付け状態例である。
発信機は出来るだけ目立たない様な小型化が必要。更に複数の探知を目指す為、一つの家庭を考えて、５０個ぐらいの識別は必要。
【０００８】    図２は、探知機のイメージ図であり、利用者が複数の物品に対し番号毎に物品名を登録し、必要に応じて登録された物品を探し出す事ができる。
例１      ＮＯ．１            父・眼鏡
例２      ＮＯ．２            母・財布
【０００９】    図３は、探知機にて置き忘れた物品を探すイメージ図である。
ひと部屋の中心より、３６０度を廻って感知方向を探すのが、基本イメージです。
【産業上の利用可能性】
【００１０】    本発明に係る探知機は、工業用に量産する事が可能で有る為、産業上の利用可能性を有する。
又、探知個数に依り家庭用の５０個程度と、それ以上の業務用も可能である。
（家庭用と業務用の識別数に依り、２種類以上）
【図面の簡単な説明】
【００１１】
【図１】    探したい物品を複数とする為に、番号毎の登録可能な小型チップ状の発信機である。
【図２】    探知機であり、利用者・自らが物品名を登録し、利用する機器本体である。
【図３】    探知機にて置き場所を探している場面である。
【符号の説明】
【００１２】    １        探知したい物品「ＮＯ．１  父・眼鏡」の取付け例
２        探知したい物品「ＮＯ．２  母・財布」の取付け例
３        探知機、本体（テレビのリモコン風スタイル）
４        探知機操作中の財布の位置「ＮＯ．２」
５        探知機操作中の眼鏡の位置「ＮＯ．１」
６        探知機にて物品を探している姿
（部屋の中心付近に位置の上、回転しつつ方向を変え探知する）
【図１】
2007200266.tif 000003
【図２】
2007200266.tif 000004
【図３】
2007200266.tif 000005
(57)【要約】      （修正有）【課題】消費者の購入行為と傾向を正確に把握する広告管理ソフトウェアを提供する。【解決手段】消費者が商品の購入時に、商品に付与したＩＤ番号を入力することで、人工生命型のキャラクターを育成するソフトウェアにより、人工生命の先天的遺伝子情報が形成され、以後継続的な商品購入とそのＩＤ番号の入力により、後天的遺伝子情報が形成され、キャラクターが成長変化することで、消費者の消費傾向を正確に把握できる。【選択図】図１
2007200259.tif 000002
【特許請求の範囲】
【請求項１】
携帯電話に人工生命の育成ソフトウェアを搭載したことを特徴とするインセンティブ広告の管理ソフトウェア。
【請求項２】
前記人工生命の育成ソフトウェアは、商品に付与したＩＤ番号を入力することで、消費者の購入履歴と連動することを特徴とする請求項１記載のインセンティブ管理ソフトウェア。
【請求項３】
前記人工生命の育成ソフトウェアは、商品に付与したＩＤ番号を入力することで、あらかじめ定めたキャラクターデザインが変化することを特徴とする請求項１記載のインセンティブ広告の管理ソフトウェア。
【発明の詳細な説明】
【技術分野】
【０００１】  この発明は、懸賞応募、マストバイ広告等に用いる広告の管理手法に関する。
【背景技術】
【０００２】  従来の懸賞応募、マストバイ広告に用いられる手法は図２に示すように、ホームページへのアクセスやメールマガジンの発行である。
【発明の開示】
【発明が解決しようとする課題】
【０００３】しかしながら、以上の技術によれば、常に消費者に対し、一方的な情報提供しか行えず、特に消費者の購入傾向を正確に把握することができなかった。
そこで、この発明は、消費者の購入行為と傾向を正確に把握する広告管理ソフトウェアを提供することを課題とする。
【課題を解決するための手段】
【０００４】  以上の課題を解決するために、第一発明は、消費者の購入履歴を管理することを特徴とするインセンティブ広告管理ソフトウェアである。
また、第二発明は、人工生命の育成ソフトウェアは商品に付与したＩＤ番号を入力することで消費者の購入履歴を管理することを特徴とするインセンティブ広告の管理ソフトウェアである。
また、第三発明は、人工生命の育成ソフトウェアは、商品に付与したＩＤ番号を入力することであらかじめ定めたキャラクターデザインが変化することを特徴とするインセンティブ広告管理ソフトウェアである。
【発明の効果】
【０００５】  第一発明、または第二発明によれば、消費者の購入履歴を正確に把握できる。第三発明によれば、消費者は管理されることを意識せずに、楽しみながらキャラクターの育成ゲームを楽しむことができる。
【発明を実施するための最良の形態】
【０００６】  この発明の一実施形態を、図１に示す。
商品の購入時に、商品に付与したＩＤ番号の入力により、人工生命の先天的遺伝子情報が形成され、以後継続的な商品購入とそのＩＤ番号の入力により後天的遺伝子情報が形成され、キャラクターが成長変化する。【０００７】「実施形態の効果」
この実施形態によれば、図３に示すように、キャラクターの遺伝子情報、外的な環境を管理するシステムから構成された人工生命の育成ソフトウェアは、汎用性が高く、その条件値を変更することで複数のキャラクターを対象とできる。【０００８】「他の実施形態」
図１の実施形態では、携帯電話に人工生命の育成ソウフトウェアを搭載したものであったが、他の実施形態では、パソコンに人工生命の育成ソフトウェアを搭載したものでも良い。
【図面の簡単な説明】
【０００９】
【図１】この発明の一実施形態を示す展開図である。
【図２】従来技術を示す展開図である。
【図３】この発明のシステム構成を示す構成図である。
【図１】
2007200259.tif 000003
【図２】
2007200259.tif 000004
【図３】
2007200259.tif 000005